【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
外部からエネルギーを供給されたときに信号を送信又は受信すると共に、情報を記憶できるタグを用いて、複数のロッカーの利用を管理するシステムであって、
ロック機構を有する複数のロッカーと、
各々のロッカーに設置された送受信部であって、前記タグにエネルギーを供給して、前記タグから送信される信号を受信すると共に前記タグに向けて信号を送信する前記送受信部と、
インターフェースを介して前記複数のロッカーと接続された管理部であって、前記タグからいずれかのロッカーの送受信部に送信されたタグＩＤ番号を入力し、当該ロッカーがロックされていないときには、当該ロッカーのロッカー番号に対応してタグＩＤ番号を記憶すると共に、所定の条件を満たす場合に当該ロッカーのロック機構に当該ロッカーをロックさせ、当該ロッカーがロックされているときには、入力されたタグＩＤ番号が記憶されているタグＩＤ番号と一致する場合に当該ロッカーのロック機構に当該ロッカーのロックを解除させる前記管理部と、
を具備するロッカー管理システム。
【請求項２】
各々のロッカーに設置された入力部であって、情報を入力するために用いられる前記入力部をさらに具備し、
前記管理部が、前記タグからいずれかのロッカーの送受信部に送信されたタグＩＤ番号と、当該ロッカーの入力部に入力された暗証番号とを入力し、当該ロッカーがロックされていないときには、当該ロッカーのロッカー番号に対応してタグＩＤ番号及び暗証番号を記憶すると共に、所定の条件を満たす場合に当該ロッカーのロック機構に当該ロッカーをロックさせ、当該ロッカーがロックされているときには、入力されたタグＩＤ番号及び暗証番号が記憶されているタグＩＤ番号及び暗証番号とそれぞれ一致する場合に当該ロッカーのロック機構に当該ロッカーのロックを解除させる、
請求項１記載のロッカー管理システム。
【請求項３】
前記管理部が、当該ロッカーがロックされていないときに、所定の条件を満たす場合に当該ロッカーのロッカー番号を当該ロッカーの送受信部から前記タグに送信して前記タグに記憶させる、請求項１又は２記載のロッカー管理システム。
【請求項４】
前記管理部が、当該ロッカーがロックされていないときに、他のロッカー番号に対応して前記タグのタグＩＤ番号が記憶されていない場合に限り、当該ロッカーのロック機構に当該ロッカーをロックさせる、請求項１〜３のいずれか１項記載のロッカー管理システム。
【請求項５】
外部からエネルギーを供給されたときに信号を送信又は受信すると共に、情報を記憶できるタグを用いて、複数のロッカーの利用を管理する方法であって、
前記タグにエネルギーを供給して、前記タグからいずれかのロッカーの送受信部に送信されたタグＩＤ番号を入力するステップ（ａ）と、
当該ロッカーがロックされていないときに、当該ロッカーのロッカー番号に対応してタグＩＤ番号を記憶すると共に、所定の条件を満たす場合に当該ロッカーのロック機構に当該ロッカーをロックさせるステップ（ｂ）と、
当該ロッカーがロックされているときに、入力されたタグＩＤ番号が記憶されているタグＩＤ番号と一致する場合に当該ロッカーのロック機構に当該ロッカーのロックを解除させるステップ（ｃ）と、
を具備するロッカー管理方法。
【請求項６】
当該ロッカーの入力部に入力された暗証番号を入力するステップをさらに具備し、
ステップ（ｂ）が、当該ロッカーがロックされていないときに、当該ロッカーのロッカー番号に対応してタグＩＤ番号及び暗証番号を記憶することを含み、
ステップ（ｃ）が、当該ロッカーがロックされているときに、入力されたタグＩＤ番号及び暗証番号が記憶されているタグＩＤ番号及び暗証番号とそれぞれ一致する場合に当該ロッカーのロック機構に当該ロッカーのロックを解除させることを含む、
請求項５記載のロッカー管理方法。
【請求項７】
ステップ（ｂ）が、当該ロッカーがロックされていないときに、所定の条件を満たす場合に当該ロッカーのロッカー番号を当該ロッカーの送受信部から前記タグに送信して前記タグに記憶させることを含む、請求項５又は６記載のロッカー管理方法。
【請求項８】
ステップ（ｂ）が、当該ロッカーがロックされていないときに、他のロッカー番号に対応して前記タグのタグＩＤ番号が記憶されていない場合に限り、当該ロッカーのロック機構に当該ロッカーをロックさせることを含む、請求項５〜７のいずれか１項記載のロッカー管理方法。
【請求項９】
外部からエネルギーを供給されたときに信号を送信又は受信すると共に、情報を記憶できるタグを用いて、複数のロッカーの利用を管理するために用いるプログラムであって、
前記タグにエネルギーを供給して、前記タグからいずれかのロッカーの送受信部に送信されたタグＩＤ番号を入力する手順（ａ）と、
当該ロッカーがロックされていないときに、当該ロッカーのロッカー番号に対応してタグＩＤ番号を記憶すると共に、所定の条件を満たす場合に当該ロッカーのロック機構に当該ロッカーをロックさせる手順（ｂ）と、
当該ロッカーがロックされているときに、入力されたタグＩＤ番号が記憶されているタグＩＤ番号と一致する場合に当該ロッカーのロック機構に当該ロッカーのロックを解除させる手順（ｃ）と、
をＣＰＵに実行させるロッカー管理プログラム。
【請求項１０】
当該ロッカーの入力部に入力された暗証番号を入力する手順をさらに具備し、
手順（ｂ）が、当該ロッカーがロックされていないときに、当該ロッカーのロッカー番号に対応してタグＩＤ番号及び暗証番号を記憶することを含み、
手順（ｃ）が、当該ロッカーがロックされているときに、入力されたタグＩＤ番号及び暗証番号が記憶されているタグＩＤ番号及び暗証番号とそれぞれ一致する場合に当該ロッカーのロック機構に当該ロッカーのロックを解除させることを含む、
請求項９記載のロッカー管理プログラム。
【請求項１１】
手順（ｂ）が、当該ロッカーがロックされていないときに、所定の条件を満たす場合に当該ロッカーのロッカー番号を当該ロッカーの送受信部から前記タグに送信して前記タグに記憶させることを含む、請求項９又は１０記載のロッカー管理プログラム。
【請求項１２】
手順（ｂ）が、当該ロッカーがロックされていないときに、他のロッカー番号に対応して前記タグのタグＩＤ番号が記憶されていない場合に限り、当該ロッカーのロック機構に当該ロッカーをロックさせることを含む、請求項９〜１１のいずれか１項記載のロッカー管理プログラム。
【手続補正２】
【補正対象書類名】明細書
【補正対象項目名】０００５
【補正方法】変更
【補正の内容】
【０００５】
【課題を解決するための手段】
上記課題を解決するため、本発明に係るロッカー管理システムは、外部からエネルギーを供給されたときに信号を送信又は受信すると共に、情報を記憶できるタグを用いて、複数のロッカーの利用を管理するシステムであって、ロック機構を有する複数のロッカーと、各々のロッカーに設置された送受信部であって、タグにエネルギーを供給して、該タグから送信される信号を受信すると共に該タグに向けて信号を送信する送受信部と、インターフェースを介して複数のロッカーと接続された管理部であって、タグからいずれかのロッカーの送受信部に送信されたタグＩＤ番号を入力し、当該ロッカーがロックされていないときには、当該ロッカーのロッカー番号に対応してタグＩＤ番号を記憶すると共に、所定の条件を満たす場合に当該ロッカーのロック機構に当該ロッカーをロックさせ、当該ロッカーがロックされているときには、入力されたタグＩＤ番号が記憶されているタグＩＤ番号と一致する場合に当該ロッカーのロック機構に当該ロッカーのロックを解除させる管理部とを具備する。


【手続補正３】
【補正対象書類名】明細書
【補正対象項目名】０００６
【補正方法】変更
【補正の内容】
【０００６】
また、本発明に係るロッカー管理方法は、外部からエネルギーを供給されたときに信号を送信又は受信すると共に、情報を記憶できるタグを用いて、複数のロッカーの利用を管理する方法であって、タグにエネルギーを供給して、該タグからいずれかのロッカーの送受信部に送信されたタグＩＤ番号を入力するステップ（ａ）と、当該ロッカーがロックされていないときに、当該ロッカーのロッカー番号に対応してタグＩＤ番号を記憶すると共に、所定の条件を満たす場合に当該ロッカーのロック機構に当該ロッカーをロックさせるステップ（ｂ）と、当該ロッカーがロックされているときに、入力されたタグＩＤ番号が記憶されているタグＩＤ番号と一致する場合に当該ロッカーのロック機構に当該ロッカーのロックを解除させるステップ（ｃ）とを具備する。


【手続補正４】
【補正対象書類名】明細書
【補正対象項目名】０００７
【補正方法】変更
【補正の内容】
【０００７】
さらに、本発明に係るロッカー管理プログラムは、外部からエネルギーを供給されたときに信号を送信又は受信すると共に、情報を記憶できるタグを用いて、複数のロッカーの利用を管理するために用いるプログラムであって、タグにエネルギーを供給して、該タグからいずれかのロッカーの送受信部に送信されたタグＩＤ番号を入力する手順（ａ）と、当該ロッカーがロックされていないときに、当該ロッカーのロッカー番号に対応してタグＩＤ番号を記憶すると共に、所定の条件を満たす場合に当該ロッカーのロック機構に当該ロッカーをロックさせる手順（ｂ）と、当該ロッカーがロックされているときに、入力されたタグＩＤ番号が記憶されているタグＩＤ番号とそれぞれ一致する場合に当該ロッカーのロック機構に当該ロッカーのロックを解除させる手順（ｃ）とをＣＰＵに実行させる。


【手続補正５】
【補正対象書類名】明細書
【補正対象項目名】００１０
【補正方法】変更
【補正の内容】
【００１０】
図１に示すように、このロッカー管理システムは、信号を送受信する機能を有するＲＦ−ＩＤタグ１と、ＲＦ−ＩＤタグとの間で信号を送受信するロッカー錠２０を有する複数のロッカー２ａ、２ｂ、…を含むロッカー部２と、情報管理部３とを含んでいる。また、施設内にはＬＡＮ（local area network）３０が敷設されている。